(57)【特許請求の範囲】
【請求項１】
左右の靴、靴の中敷等の履物に装備された、この左右の履物の中で両足を動かして操作するスイッチ及び／又はバイブレーターの感知部と、この左右の履物の感知部間で所定の時間及び／又は所定の所作が継続された条件下において、この左右の履物の感知部から発信される信号を受信し、警報を発信するのが妥当か否かを判定するコントロールボックス等の判定手段と、この判定手段の指令で電波又は音波等の指令信号を発する発信機と、この発信機から発信される指令信号をキャッチする受信機と、この受信機からの指令信号で可動する非常灯、警報機、防犯ベル等の防犯機器とで構成し、店舗を狙った強盗事件、強盗事件、通り魔事件、ひったくり事件などの防犯用の履物を利用した防犯装置。
【発明の詳細な説明】
【技術分野】
【０００１】
本発明は、靴等の履物の中で足を動かして防犯機器を可動させる履物を利用した防犯装置に関する。
【背景技術】
【０００２】
従来の技術として、実用新案登録第３０６４６８３号“緊急通報用電波送受信機”が出願されている。その概要は、店員の靴、又は足首に付けたマグネットスイッチつき小型送信機と、他の靴又は足首に付けたマグネットにより構成される電波送信機と、この電波送信機からの電波を受信し、警報機や電話、電波等による通報装置を作動させる受信機とで構成する緊急通報用電波送受信機であって、銀行、郵便局、貴金属店、深夜営業店等において強盗に襲われたとき救助と、また緊急事態を外部に知らせるための電波送受信機である。この考案は、手を使わずに防犯機器を可動させることは大変良い考案である。しかし、この考案は、次の数点において改良の余地が考えられる。
１）歩くときに機器が足首に取付けてあると歩きにくいこと、また違和感があり、長時間の装着には、抵抗があること、又は誤動作も考えられること等の心配がある。
２）犯人によりボディーチェックを受けた時、目に付き易い。
３）マグネットがズボン等の衣類でカバーされている場合は、スイッチの確実な作動が図れない。
４）日常の業務又は生活の中で取付け、取外しに手間がかかる。
【０００３】
上記に関連し、深夜少人数で経営している店舗（コンビニエンスストアー）を狙った強盗事件、人通りの少ない道路での老人、女性、子供を狙った通り魔・ひったくり・暴力等の事件は年々増加している。このような犯罪において、事件が起きて警察に通報し、警察官やパトロールカーが駆けつける間に犯人が逃走し、未解決の事件が数多く散見される。従って、被害者が装着した防犯機器から、即時、防犯電波、音波等の警報・緊急信号を発信し、事件が発生した付近の防犯協力民家、防犯協力委員、自治会への通報等は現在あまり普及されていない。
【０００４】
【特許文献１】実用新案登録第３０６４６８３号
【発明の開示】
【発明が解決しようとする課題】
【０００５】
文献（１）は、前述した如く、有益である反面、１）〜４）で例示した改良点が考えられる。そこで、本発明は、これらの改良点を考慮しつつ、更なる確実性、利便性、又は防犯抑制、人員救済、また犯人検挙等を図る。例えば、靴類の中に電波類を発信するスイッチ類及び／又はバイブレーターを設け、小型電池、リード線等を収納するスペースを靴類の底部、踵部、又は甲部に形成し、必要によりリード線を配備し、この緊急信号を確実かつ障害物に邪魔されることなく送信できる履物を利用した防犯装置を提供する。また本発明は、靴に設けたスペースを、防水、防埃性に優れたゴム、樹脂等の材料で囲繞した構成とすることで、スイッチ類等を、雨水、塵等の外的障害による損傷から保護できる。
【０００６】
尚、このスイッチ類及び／又はバイブレーターは、金属ベース、他の部材ベース等のベースに一体成型する構成を採用し、小型の構造を達成し、また精緻・強固な構造と、耐久性の向上等とを確保すること、又は低コストのスイッチ類を提供すること等を意図する。そして、このような構造を採用することで、靴以外の物、例えば、スリッパ、靴敷き等への適用も可能とする。
【課題を解決するための手段】
【０００７】
請求項１の発明は、人が両手及び／又は体（足を除く）の自由が利かない状況下、又は、口を隠蔽された状況下において、救援・窃盗・盗難等の犯罪に巻き込まれた状態を、確実かつスムースに、本部又は警察・パトロールカー、防犯協力民家等に通報（犯罪通報）し、この由々しき状況を回避すること、又は本発明の靴を利用した犯罪装置の存在を知ることで、この種の犯罪の抑止力として有効である履物を利用した防犯装置を提供すること等を意図する。また本発明は、一定の条件を充足した状態で、犯罪通報（犯罪・緊急情報）を発信する構成とし、誤動作による混乱回避、緊急事態の発生によるトラブルの回避、又は早期の事件解決等を意図する。
【０００８】
請求項１は、左右の靴、靴の中敷等の履物に装備された、この左右の履物の中で両足を動かして操作するスイッチ及び／又はバイブレーターの感知部と、この左右の履物の感知部間で所定の時間及び／又は所定の所作が継続された条件下において、この左右の履物の感知部から発信される信号を受信し、警報を発信するのが妥当か否かを判定するコントロールボックス等の判定手段と、この判定手段の指令で電波又は音波等の指令信号を発する発信機と、この発信機から発信される指令信号をキャッチする受信機と、この受信機からの指令信号で可動する非常灯、警報機、防犯ベル等の防犯機器とで構成した、店舗を狙った強盗事件、強盗事件、通り魔事件、ひったくり事件などの防犯用の履物を利用した防犯装置である。
【０００９】
【００１０】
【００１１】
【００１２】
【発明の効果】
【００１３】
請求項１の発明は、左右の靴、靴の中敷等の履物に装備された、この左右の履物の中で両足を動かして操作するスイッチ及び／又はバイブレーターの感知部と、この左右の履物の感知部間で所定の時間及び／又は所定の所作が継続された条件下において、この左右の履物の感知部から発信される信号を受信し、警報を発信するのが妥当か否かを判定するコントロールボックス等の判定手段と、この判定手段の指令で電波又は音波等の指令信号を発する発信機と、この発信機から発信される指令信号をキャッチする受信機と、この受信機からの指令信号で可動する非常灯、警報機、防犯ベル等の防犯機器とで構成した、店舗を狙った強盗事件、強盗事件、通り魔事件、ひったくり事件などの防犯用の履物を利用した防犯装置である。
【００１４】
従って、請求項１は、人が両手及び／又は体（足を除く）の自由が利かない状況下、又は、口を隠蔽された状況下において、窃盗・盗難等の犯罪に巻き込まれた状態と、救援の要請等を犯罪通報として確実かつスムースに、本部又は警察・パトロールカー、防犯協力民家等に通報し、この由々しき状況の速やかな回避が図れること、又は本発明の靴を利用した犯罪装置の存在を知ることで、この種の犯罪の抑止力として有効な役割を果たし得ること等の特徴がある。また本発明は、一定の条件を充足した状態で、犯罪通報（犯罪・緊急情報）を発信する構成とし、誤動作による混乱回避、緊急事態の発生によるトラブルの回避、早期の事件解決等が図れる実益がある。
【００１５】
【００１６】
【００１７】
【００１８】
【発明を実施するための最良の形態】
【００１９】
実施例の概要を述べると、防犯効果及び／又は生命の確保を図るためには、何と言っても身近にかつ犯人に知られない状態で防犯機器を置き、かつ操作することである。例えば、防犯機器を、直接身に付けるか、又はポケットに入れる方法がある。しかし、犯罪に遭遇した時は、ポケットに手を入れることが不可能なことも多々あり、即時に対応できる方法としては、例えば、足元の靴類の中にスイッチ類の感知部及び／又は発信機等を置くことが考えられる。また一面で、我国は、世界有数の安全な国と云われている。しかし、近時、この神話は崩れつつある。その一例を挙げると、幼児や老人、女性を狙う暴行事件や、数々の強盗事件等があって、日常生活を脅かす情・容赦無い数々の事件を見るにつけ、安易に事件を起こす犯人への警告と、犯罪は必ず摘発するという検挙実績を積み上げて行くことが肝要に思われる。そのためには、一刻も早く事件発生を犯人に気づかれにくい状態で警察、コンビニエンスストアー本部又は近所の人、消防団員、自治会（町内会）の防犯委員等に通報すること、またこれに関連する人々の協力は必要不可欠である。
【実施例１】
【００２０】
図１に示した深夜コンビニエンスストアーＡで強盗事件がよく発生しているが、早期の事件解決と店員Ｂとお客（図示せず）の生命の安全を確保するには、一刻も早く感知部１を正しく操作し、判定手段２を介して指令信号を発信し、防犯機器３を可動させる。この早期の情報伝達（通報）で、この種の犯罪事件を早期に解決できる。本発明の特徴は、靴４（履物の一例である）の適所に配備した少なくともスイッチ、マイクロスイッチ、他のスイッチ、センサー等のスイッチ１００及び／又はバイブレーター１０１（バイブレーター１０１は必要により設ける）を操作又は可動することで、従来の如く、店内及び／又はカウンターＡ１及び／又はレジスターＡ２に装備した押し釦（図示せず）の操作を要さない。従って、例えば、レジスターＡ２付近で受付業務をしている店員Ｂに客を装った犯人Ｃが商品代金を渡し、店員ＢがレジスターＡ２を開けた途端、犯人Ｃが店員Ｂの顔Ｂ１に凶器Ｃ１を突きつけ（警察の調査では大半がこのパターンであって）、「手を挙げたまま動くな」と脅迫する。従って、防犯機器（図示せず）の始動ボタンのところまで手足を動かし、続いて始動ボタンを押す行動はかなりの危険を伴い、また傷害の危険も増えること、又は現実にあり得ること等が見受けられる。しかし、このような状況で、店員Ｂが手Ｂ３（両手Ｂ３）を挙げたままであっても、両足Ｂ２に靴４を履いていれば、この足Ｂ２は定位置のままで両足Ｂ２の指Ｂ４等（適宜部位）を靴４の中で動かし、スイッチ１００を押す（図２）とバイブレーター１０１による振動が足に伝わり、当該スイッチ１００がＯＮになったことを店員Ｂが感知する。この感知した一定の動作（一方及び双方の足Ｂ２の自由な姿勢での固定状態、又は双方の足Ｂ２による整列状態等による動作、また規定の姿勢による動作等の手段）及び／又はこの状態が一定時間（前記動作の略２〜５秒適宜の継続）経過した段階で、コントロールボックス等の判定手段２が可動し、警報、犯罪通報等の規定の周波数、波長、信号又は音波等による防犯電波（発信された信号）を発信し、その信号が妥当か否かを判断する。この判定手段２で妥当と判断した場合には、この信号を増幅し店内の天井、カウンター、又は壁、トイレ、屋根裏（軒）等の適所に設けた発信機５より指令信号が発信される。この指令信号により店内外の適所、建物の壁、屋根裏（軒）又は本部３００等に設置された受信機６を得て、同様に店内外の適所、建物の壁等に設置された防犯機器３又は防犯手段３−１（防犯機器３とする）が動作する。例えば、コンビニエンスストアーＡの本部３００の非常灯、警報器、防犯ベル、自動１１０番通報等の防犯機器３及び／又は警察３０１・パトカー３０２等の非常灯、警報器、防犯ベル等の防犯手段３−１が動作する。そして、望ましくは、この防犯機器３は、事件発生後略６秒前後で作動する構成とし、事件の早期解決と、人の安全と、精神障害等を無くすように心掛ける。尚、前記の一定の動作及び／又は一定時間を堅持することで、誤動作の回避と、店員Ｂの動作の確保と、動作の汎用化等に役立てる。以上で説明したこの種の犯罪は、深夜コンビニエンスストアーＡに限定されない。前述の如く、バイブレーター１０１で所定の電波信号を感知する一例では、店員Ｂ（本人）のスイッチ１００動作の確認と、安心感があり、心を落ち着けて対応できること、救助の期待感が持てること等の利便性と、このバイブレーター１０１での感知は、誤動作防止にも役立つこと等の有益性とを備える。また片方の足Ｂ２（片足Ｂ２）の例でのスイッチ１００も可能であり、この片足Ｂ２による操作では、緊張時での確実な操作と、片足Ｂ２を怪我している状態、障害者等の操作に有益である。また後述する工場での緊急時に、片足Ｂ２のみしか使えない状況等において役立ち実益がある。
【００２１】
そして、この例では、レジスターＡ２付近に連続・間欠等による撮影デジタルカメラ（図示せず）を設置して、電波類による可動装置を別途装備すれば、靴４の中でスイッチ１００類を押した途端デジタルカメラが可動し、レジスターＡ２付近の犯人Ｃの写真を撮ることもできる。また受信機６から増幅器等を介して発信される防犯用電波は、他のコンビニエンスストアーＡ、その本部３００又はコンビニエンスストアーＡ付近の自治会の防犯委員宅又は消防団員宅に配置されており、この受信機６が電波を受信すると、前述の如く、非常灯、警報器等の防犯機器３が動作する等することで、付近の自治会等の人々による協力を得て犯人Ｃの逮捕、又は人命救助、嫌がらせからの保護等に有効である。そして、この種のコンビニエンスストアーＡが郊外の場合とか、またパトカー３０２の巡回コースより離れていて、警察が駆けつけるまで時間がかかる場所では、道路での強盗事件、嫌がらせ等の場合においても、前述の通りの防犯対策が可能であり、各種の有効性と、保護・保安環境の確保が図れる実益がある。尚、この防犯電波等は日常で聴く交通情報と同じくらい日常生活に普及して、電波法で許可されている範囲でのネットワーク用の電波とする。
【００２２】
これらの例における靴４は決して高価なものではなく、量産が進めばＩＣチップ（ＩＣシステム）等の製品化が進み、よりコンパクトな製品が普及し、また多勢の人々が本発明の製品を認識し、かつ同時に犯罪に対する考え方も一層浸透し、犯罪抑制・防止と、生命の確保等に役立つ。尚、図１１の例の如く、スイッチ１００及び／又はバイブレーター１０１をＩＣチップとして靴４に装着する例では、装置の小型化と、低コスト化等が図れること、また靴４の履き心地の違和感をなくし、長時間に亘って軽快で、疲労感ない履き心地が可能となること等の特徴と、犯人Ｃに気づかれないこと等の特徴とが考えられる。
【実施例２】
【００２３】
靴４を使用する場所が狭い所で、靴４より発信された信号が別途設けた判定手段２に届き難い状況、例えば、図８に示した自動車とか、図示しないが鉄道輸送の運転席、航空機の操縦席等では、靴４内の感知部１（スイッチ１００）と人Ｂ−Ｂの体の一部に取付けた判定手段２を衣服の中を通したリード線１０２によって直結し、この判定手段２を可動させることで、前述と同様な防犯及び／又は犯人Ｃ逮捕等に役立つ特徴がある。また図示しないが、例えば、タクシー強盗に乗務員等が遭遇した時、車を止められ後部座席より凶器を突きつけ、乗務員が脅迫を受け両手を挙げた状態で、乗務員が靴４のスイッチ１００を操作することで、バイブレーター１０１による振動が足に伝わりスイッチ１００がＯＮになったことを乗務員が感知しながら、一定の動作等によってコントロールボックス等の判定手段２による判断で、妥当となった場合は、発信機５より発信される指令信号は、この指令信号により、例えば、タクシーの屋根に取付けた非常灯、警報器、防犯ベル、自動１１０番通報、又はタクシーの無線基地への自動通報等の防犯機器３が動作し、乗務員は即時、車から避難することができる。また犯人に後部座席より乗務員が車の運転席から降りるように命令され、車外に出ても両足の靴４の中でスイッチ１００を押し続け、前述の如く、一定の動作等によってコントロールボックス等の判定手段２による判断で、車外からでも非常灯、警報器等の防犯機器３が動作し、乗務員は安全な場所へ避難し、かつ生命の安全が確保される。そして、近時、犯罪に巻き込まれる現金輸送車の業務を行なう人達にとっては、前述の防犯装置（防犯システム）は有意義である。このリード線１０２を使用するのは一例であり、原則としてコードレスとする。
【実施例３】
【００２４】
屋外等で人気のない場所、或は夜間等において発生している各種の犯罪・事件、例えば、図９に示した通り魔事件、ひったくり事件、図示しないが幼児・女性Ｂ−Ｂ−Ｂ・老人を狙った暴行事件等がある。このような事態であっても、例えば、図６の如く、アンテナ４００を備えた靴４を履いた状態、又は図７、図９の如く、発信機５を携帯し、この発信機５と靴４の感知部１とをリード線１０２で結線した状態では、事件発生後個人差はあるが略５〜１０秒程度で、アンテナ４００からの信号、又は同時携帯している発信機５の指令信号により、判定手段２で即座に判断し、非常灯、警報器等の防犯機器３が動作するか、又は被害者のいる場所を近くの地域住民・自治会の防犯委員・通行人等が協力し、幼児・女性Ｂ−Ｂ−Ｂ・老人を安全な場所へ誘導し、かつ生命の安全を確保する。尚、アンテナ４００は、靴４、衣服等に内蔵とする例と、スプリング形状、面形状等のその他の例の場合もあり得る。
【実施例４】
【００２５】
工場での緊急用としての利用の一例であり、機械に両手が挟まれた状態、又は両手で作業をしている状態等において、緊急に通報する必要がある場合には、作業者等の人Ｂ−Ｂが図１０の如く、発信機５を携帯し、この発信機５と靴４の感知部１とをリード線１０２で結線した状態で、緊急の状況が発生したならば略２〜５秒程度で、携帯している発信機５（図示しないが、同時又は別個に靴４等に装備したアンテナ４００）からの指令信号により、判定手段２で即座に判断し、非常灯、警報器等の警報機器３０３が動作し、緊急事態に対応する他の人（図示せず）に通報し、機械の停止、又は人Ｂ−Ｂの救出に当たり、生命の確保と、軽い怪我での救出を図る。また緊急車への通報も同時進行することも可能である。
【実施例５】
【００２６】
最近新築された住宅やマンションや集合住宅等においては、玄関付近の犯罪に対するセキュリティーがかなり行き届いているが、従来の住宅を狙う押し売り強盗や宅配便を装った強盗等、玄関や勝手口での人の応対で発生する事件には、靴４（特にはきやすいスリッパ状のもの）を履いて応対し、事件が発生すれば早急に靴４の中にあるスイッチ１００を押すとバイブレーター１０１による振動が足に伝わり、当該スイッチ１００がＯＮになる。この感知した一定の動作及び／又はこの状態が一定時間経過した段階で、壁や天井に設置された判定手段２が可動し、警報、犯罪通報等の防犯電波（発信された信号）を発信し、その信号が妥当か否かを判断する。そして、妥当である場合には、家の外部にある非常灯、警報器等の防犯機器３が動作するか、又は被害者のいる場所を近くの地域住民・自治会の防犯委員・通行人等が協力し、被害者の生命と財産、安全の確保と、また必要により、安全な場所へ誘導を図り、生命、安全の確保とを達成し、防犯防止と生命、安全の確保等を図る。
【００２７】
図３−１〜図３−４に示した一例は、靴４の底部４０１に、スイッチ１００とバイブレーター１０１及び／又はバッテリー１０３を設けた構成であり、このスイッチ１００及び／又はバイブレーター１０１は、靴４の中にある足Ｂ２の指Ｂ４、踵Ｂ５等を利用し、犯人Ｃに気づかれずに動かすことができること、又は靴４の中にスイッチ１００等を設けても犯人Ｃの目に付き難しいこと等を考えた構成である。例を挙げると、足Ｂ２の親指Ｂ４を足Ｂ２の裏側方向に曲げると個人差はあるが、例えば、店員Ｂ、人Ｂ−Ｂ等であって、足Ｂ２のつま先から踵Ｂ５まで略２５０mmであると仮定すると、一般的には、約７mm中心方向に動かすことは可能である。従って、マイクロスイッチを押すにも十分な動きであり、作動方法も図３−３と図３−４の如く、誰でも「両足Ｂ２で土をつかむように」すれば可能な動きであり、また足Ｂ２を踏ん張ることにもなり得ることから、仮に各種の事件が起きた時にも落ち着いてできる範囲内の動作を考慮した構造である。尚、図４の例は靴４の甲部４０２に、少なくともスイッチ１００を設けた構成であり、足Ｂ２の指Ｂ４を押し上げるように操作する。この甲部４０２の例では、防犯電波の発信に障害が少なく確実性と、即応性が期待できる。さらに図示しないが靴４の側面部に設ける構成とし、足Ｂ２の指Ｂ４を側面に移動して操作する。また本発明の効果達成と、より正確性を期するために、靴４内に複数スイッチ１００等を設ける構成も可能であり、適宜変更される。
【図面の簡単な説明】
【００２８】
【図１】本発明をコンビニエンスストアーに設置した状態の模式図
【図２】靴の底部にスイッチ等を設けた一例を示す一部欠截の斜視図
【図３−１】靴の底部にスイッチ等を設けた一例と、足との関係を示す一部欠截の斜視図
【図３−２】図３−１の足の状態のみを示した一部欠截の斜視図
【図３−３】靴の底部にスイッチ等を設けた一例と、足（つま先）の動きとの関係を示す一部欠截の斜視図
【図３−４】図３−３の足の状態のみを示した一部欠截の斜視図
【図４】靴の甲部にスイッチ等を設けた一例を示す一部欠截の斜視図
【図５】靴の底部にスイッチ及び／又はバイブレーター等を設けた一例を示す要部の断面図
【図６】靴にアンテナ等を装着した一例を示す斜視図
【図７】本発明を女性に装着した一例を示す模式図
【図８】本発明を車輌の乗務員に装着した一例を示す斜視図
【図９】本発明を歩行中の女性に装着した一例を示す模式図
【図１０】本発明を工場に設置した状態の模式図
【図１１】靴の底部にスイッチ及び／又はバイブレーター等を一体化して設けた他の一例を示す要部の断面図
【図１２】本発明の全体の操作を説明するフローチャート
【符号の説明】
【００２９】
１              感知部
１００          スイッチ
１０１          バイブレーター
１０２          リード線
１０３          バッテリー
２              判定手段
３              防犯機器
３−１          防犯手段
３００          本部
３０１          警察
３０２          パトカー
３０３          警報機器
４              靴
４００          アンテナ
４０１          底部
４０２          甲部
５              発信機
６              受信機
Ａ              コンビニエンスストアー
Ａ１            カウンター
Ａ２            レジスター（登録商標）
Ｂ              店員
Ｂ１            顔
Ｂ２            足
Ｂ３            手
Ｂ４            指
Ｂ５            踵
Ｂ−Ｂ          人
Ｂ−Ｂ−Ｂ      女性
Ｃ              犯人
【要約】
【課題】  従来の防犯装置は、店員の靴、足首に付けたマグネットスイッチつき小型送信機と、マグネットで構成される電波送信機と、電波送信機からの電波を受信し、警報機や電話、電波等による通報装置を作動させる受信機とで構成する緊急通報用電波送受信機であって、銀行、郵便局等において強盗に襲われたとき救助と、また緊急事態を外部に知らせるための電波送受信機である。しかし、歩行が困難視される。また長時間の装着には、抵抗がある。
【構成】  本発明は、靴に装備された感知部と、この感知部間で所定の時間及び／又は所定の所作が継続された条件下で感知部から信号を受信し、警報を発信するのが妥当か否かを判定する判定手段と、判定手段の指令で電波又は音波等の指令信号を発する発信機と、発信機から発信される指令信号をキャッチする受信機と、受信機からの指令信号で可動する防犯機器に連繋した履物を利用した防犯装置である。
【選択図】          図１
【図１】
0003661699.tif 000002
【図２】
0003661699.tif 000003
【図３−１】
0003661699.tif 000004
【図３−２】
0003661699.tif 000005
【図３−３】
0003661699.tif 000006
【図３−４】
0003661699.tif 000007
【図４】
0003661699.tif 000008
【図５】
0003661699.tif 000009
【図６】
0003661699.tif 000010
【図７】
0003661699.tif 000011
【図８】
0003661699.tif 000012
【図９】
0003661699.tif 000013
【図１０】
0003661699.tif 000014
【図１１】
0003661699.tif 000015
【図１２】
0003661699.tif 000016